(57)【要約】【課題】ユニット本体内に電気部品箱を収容して、ユニット本体側面からの突出物を無くすとともに、ドレン受皿やドレンポンプに対するメンテナンス作業の容易化を図ったビルトイン型空気調和機を提供する。【解決手段】ユニット本体は建屋の天井裏に設置されるユニット本体の内部を仕切り板で、送風機を配置した送風機室と、室内熱交換器を配置した熱交換室とに仕切る。送風機室に対向するユニット本体側部に設けられる第１の点検口および熱交換室に対向するユニット本体側部に設けられる第２の点検口を備えた。【選択図】    図８
2013213595.tif 000002
【特許請求の範囲】
【請求項１】
建屋の天井裏に設置される、金属板で形成されたユニット本体と、
前記ユニット本体の内部を、送風機を配置する送風機室と、室内熱交換器を配置する熱交換室とに仕切る仕切り板と、
前記熱交換室の下方に設けられて、前記室内熱交換器に結露したドレン水が滴下するドレン受皿と、
前記ドレン受皿に滴下したドレン水を汲み上げるドレンポンプと、
前記熱交換室に対向する前記ユニット本体の側板に設けられる点検口と、
前記側板の点検口部分に一体形成されるとともに、前記ユニット本体内部側へ向かって折曲げられた折曲片部と、
前記折曲片部の上方に設けられ、前記ユニット本体の内部と外部に連通したドレンソケットと、
前記ドレンポンプと前記ドレンソケットとを接続するドレンホースと、
を備えたことを特徴とするビルトイン型空気調和機。
【請求項２】
前記側板の前記ドレンソケットから、前記折曲片部の下端にかけて、ユニット本体内部側に向かって突出した凸部を有することを特徴とする請求項１記載のビルトイン型空気調和機。
【発明の詳細な説明】
【技術分野】
【０００１】
本発明の実施態様は、建屋の天井裏に設置され、吸込んで熱交換した熱交換空気を、吹出しダクトを介して室内へ吹出すビルトイン型空気調和機に関する。
【背景技術】
【０００２】
建屋の天井裏に設置されるビルトイン型空気調和機（天井埋込み型空気調和機）が多用される。ユニット本体内には室内熱交換器と送風機が収容され、たとえば本体一側部に吸込み口が開口し、他側部に吹出しダクトが接続される。送風機が駆動し、空気を吸込み口から吸込んで室内熱交換器と熱交換させ、熱交換空気を吹出しダクトから室内へ吹出す。
【０００３】
冷凍サイクル運転にともなって室内熱交換器からドレン水が生成され滴下する。
このドレン水は、室内熱交換器下部に設けられるドレン受皿で受けられ、ドレン受皿上に設けられるドレンポンプにより汲み上げられ、ドレンホースとドレンソケットを介してユニット本体外部へ排水処理される。
【０００４】
このドレン受皿やドレンポンプに対するメンテナンス作業は、ユニット本体を構成する側板の一側面全部を取外して行う。したがって、ドレン受皿やドレンポンプに対するメンテナンスに、極めて手間がかかる。
【０００５】
また、内部に冷温のドレン水が流動するドレンポンプやドレンポンプに接続されるドレンホースの周りにも、結露によりドレン水が付着することがある。
【先行技術文献】
【特許文献】
【０００６】
【特許文献１】特許第３９１０１２１号公報
【発明の概要】
【発明が解決しようとする課題】
【０００７】
このような事情から、ドレン受皿やドレンポンプ周辺に点検口を設けて、ドレン受皿やドレンポンプに対するメンテナンス作業の容易化を図ったビルトイン型空気調和機が望まれており、さらに、点検口上方にドレンソケットが設けられた場合、ドレンソケットやドレンホースに付着したドレン水が点検口の隙間などからユニット本体外部へ漏れないようにする必要がある。
【課題を解決するための手段】
【０００８】
本実施形態のビルトイン型空気調和機は、ユニット本体を建屋の天井裏に設置し、内部を仕切り板で、送風機を配置した送風機室と、室内熱交換器を配置した熱交換室とに仕切る。
【０００９】
ユニット本体の側板に点検口を設けて、側板の点検口部分に一体形成されるとともに、ユニット本体内部側へ向かって折曲げられた折曲片部と、折曲片部の上方に設けられ、ユニット本体の内部と外部に連通したドレンソケットを備える。
【図面の簡単な説明】
【００１０】
【図１】第１の実施形態に係る、ビルトイン型空気調和機の側面図。
【図２】第１の実施形態に係る、図１とは異なる形態のビルトイン型空気調和機の側面図。
【図３】第１の実施形態に係る、ユニット本体の下面板を取外したビルトイン型空気調和機の斜視図。
【図４】第１の実施形態に係る、ビルトイン型空気調和機の横断平面図。
【図５】第１の実施形態に係る、第１の蓋板を開放したビルトイン型空気調和機の斜視図。
【図６】第１の実施形態に係る、第１の点検口を開放するとともに第２の蓋板を取外した、ユニット本体一部の斜視図。
【図７】第１の実施形態に係る、熱交換室側から仕切り板を介して電気部品箱を示す、ユニット本体一部の断面図。
【図８】第２の実施形態に係る、熱交換室内側からユニット本体内部の一部分を示す図。
【発明を実施するための形態】
【００１１】
以下、本実施形態を図面にもとづいて説明する。
図１は、ビルトイン型空気調和機ＡＣの側面図。図２は、異なる例のビルトイン型空気調和機ＡＣの側面図である。
【００１２】
いずれの例のビルトイン型空気調和機ＡＣも、室内（被空調室面積）Ｒが比較的大きな建屋Ｓの天井裏Ｕに設置される。
【００１３】
具体的には、ユニット本体１の側部に吊り金具２が突設されていて、この吊り金具２に設けられる孔部に、建屋Ｓの天井Ｔから垂設される吊りボルトＦが挿入される。さらに、吊りボルトＦにナットが螺挿され、吊り金具２とともにユニット本体１が吊持される。
【００１４】
ユニット本体１は、高さ寸法が、幅方向（紙面の表裏方向）寸法および奥行き方向（紙面の左右方向）寸法よりも短い薄型の矩形箱状をなす。天井化粧板Ｋから下方がビルトイン型空気調和機ＡＣによって熱交換される室内Ｒとなっている。
【００１５】
いずれの例のユニット本体１においても、ユニット本体１の内部には、ここでは図示しない室内熱交換器１８と送風機１２が収容配置される。ユニット本体１の正面部ａには、吹出しダクト３が接続される。吹出しダクト３はユニット本体１から建屋Ｓの天井裏Ｕである天井化粧板Ｋと天井Ｔとの間に沿って延設され、天井化粧板Ｋの所定位置に設けられる図示しない吸込みグリルに接続される。
【００１６】
図１に示すユニット本体１の下面部ｂには、エアフィルタ４が取付けられる。このエアフィルタ４は、ユニット本体１に設けられる吸込み口を着脱自在に覆う。エアフィルタ４に対向する天井化粧板Ｋの一部に吸込みグリルＧが設けられる。
【００１７】
図２に示すユニット本体１は、背面部ｃに吸込み口が設けられ、ここにエアフィルタを介して吸込みダクト５が接続される。吸込みダクト５は、天井裏Ｕに沿って延設され、天井化粧板Ｋの所定位置に設けられる図示しない吹出しグリルに接続される。
ビルトイン型空気調和機ＡＣは、据付け現場の事情に応じて、図１に示すユニット本体１と、図２に示すユニット本体１のいずれかが選択される。
【００１８】
以下、ビルトイン型空気調和機ＡＣのユニット本体１の構造について説明する。ただし、吸込み口と、エアフィルタおよび吸込みダクトに係る説明は省略する。
図３は、下面板を取外して内部を示す、ユニット本体１の斜視図。図４は、ユニット本体１の横断平面図である。
【００１９】
ユニット本体１は、互いに対向配置され四角枠状に設けられた４枚の側板６と、各側板６の上縁部に亘って設けられた天板および、各側板６の下縁部に亘って設けられた下面板からなる。側板６の一部に、説明を省略する吹出しダクトが接続され、反対側の側板６に吸込みダクトが接続され、もしくは下面板一部に吸込み口が設けられる。
【００２０】
ユニット本体１の内部は仕切り板８によって、図３では左側、図４では下側に示す送風機室１０と、図３では右側、図４では上側に示す熱交換室１１に仕切られる。
送風機室１０には、送風機１２が配置される。この送風機１２は、左右二軸のファン駆動モータ１３と、このファン駆動モータ１３のそれぞれの回転軸に直列に連結される送風ファン（たとえば、約５０枚の翼列からなるシロッコファン）１４と、それぞれの送風ファン１４の軸側は開口し、周面を覆うケーシング１５とからなる。
【００２１】
送風機１２のケーシング１５は、仕切り板８に開口する吹出し口体１５ａを備えている。ファン駆動モータ１３が送風ファン１４を回転駆動することで、送風ファン１４の軸方向から空気を吸込み、周方向である吹出し口体１５ａから仕切り板８を介して熱交換室１１へ吹出すようになっている。
【００２２】
このようにして構成される送風機室１０には、ユニット本体１内に収容される全ての電気部品を制御する電気制御部品と、この電気制御部品を実装して電気回路を構成する制御基板などを備えた電気部品箱１７が備えられる。
【００２３】
前記熱交換室１１には、室内熱交換器１８が配置される。この室内熱交換器１８は、多数枚のフィンを狭小の間隙を存して並設し、これらフィンに冷媒管が貫通するフィンチューブタイプである。全体として、平板状をなし、斜めに傾斜して配置される。
【００２４】
室内熱交換器１８を構成する冷媒管の一端部は、ユニット本体１の一方の側板６に設けられる冷媒管接続口１９ａに接続される。冷媒管の他端部も、ユニット本体１の同じ側板６に設けられる冷媒管接続口１９ｂに接続される。室内熱交換器１８は、冷媒管接続口１９ａに接続される冷媒配管（ガス管）と、冷媒管接続口１９ｂに接続される冷媒配管（液管）を用いて、図示しない室外機に接続される。
【００２５】
また、室内熱交換器１８の下面部には、ドレン受皿７（図７参照）が設けられる。ドレン受皿７は、冷凍サイクル運転にともなって室内熱交換器１８から生成されるドレン水を受ける。さらに、ドレン受皿７の上部には、ドレンポンプ２０が配置され、その先端（吸込み口）がドレン水に浸漬して配置され、ドレン受皿に溜まったドレン水を吸い上げて強制的に排水する。
【００２６】
ドレンポンプ２０は、後述するようにして支持され、冷媒管接続口１９ａ，１９ｂが設けられるのと同じユニット本体１の側板６に設けられるドレンソケット２０ａに接続される。さらに、ドレン排出口２０ｂが設けられていて、これはドレン受皿７から高低差を利用して自然的に外部へ排水する場合に用いられる。ドレン排水口２０を不使用の場合は、先端にゴム栓がされる。
【００２７】
図５は、第１の蓋板２４を開放して電気部品箱１７を示す、ビルトイン型空気調和機ＡＣの外観斜視図である。図６は、熱交換室１１の側部から第１の点検口２１を開放して電気部品箱１７を示すとともに、第２の蓋板２５を取外して内部構造を示す、ユニット本体１の一部斜視図である。
ユニット本体１の一側板６には第１の点検口２１と、第２の点検口２２が設けられている。第１の点検口２１は第１の蓋板２４によって開閉自在に閉塞され、第２の点検口２２は第２の蓋板２５によって開閉自在に閉塞されるようになっている。
【００２８】
図５は、第１の蓋板２４を回動して第１の点検口２１を開放し、第２の蓋板２５は第２の点検口２２を閉塞した状態を示している。第１の点検口２１には電気部品箱１７が嵌め込まれている。電気部品箱１７の前面は開口部となっていて、第１の点検口２１と連通する。したがって、第１の蓋板２４は電気部品箱１７の開口部を開閉する機能も有する。
【００２９】
図６に示すように、第１の点検口２１と第２の点検口２２は、仕切り板８を介して仕切られる送風機室１０と熱交換室１１のそれぞれ側部に対向して設けられる。ここでは、第１の点検口２１を開閉する第１の蓋板２４は省略して示す。第２の点検口２２を開閉する第２の蓋板２５の裏面側には、前記ドレンポンプ２０および図示しないフロートスイッチが取付けられている。
【００３０】
第２の点検口２２から第２の蓋板２５を取り外すのにともない、ドレンポンプ２０とフロートスイッチが一体にドレン受皿７から取外される。このとき、ドレンポンプ２０に接続されているドレンホース２６も取り外される。したがって、ドレンポンプ２０およびフロートスイッチのメンテナンス作業が可能になり、開放された第２の点検口２２からドレン受皿７他の熱交換室１１に配置される各部品に対するメンテナンス作業も可能になる。
【００３１】
仕切り板８における第１の点検口２１側の端部近傍には、上下に離間した一対の長孔である配線用孔２７ａ，２７ｂが開口する。これら配線用孔２７ａ，２７ｂは、電気部品箱１７が第１の点検口２１に嵌め込まれた状態で、電気部品箱１７の電気部品箱側板１７ａに対向する部位に設けられる。
【００３２】
また、図６からも分かるように、第２の点検口２２には、ユニット本体１の側板６ａから延出し一体形成されている折曲片部２３が設けられている。この折曲片部２３は、ドレンソケット２０ａの下方に配置されており、ドレンソケット２０ａの横方向幅よりも大きく形成されている。
【００３３】
図７に、熱交換室１１側から見たユニット本体１の縦断面の第２の点検口２２付近の一部拡大断面図を示す。
図７に示すように、ドレンソケット２０ａの熱交換室１１内側には、ゴム製のドレンホース２６が接続されており、ドレン受皿７に貯留されたドレン水がドレンポンプ２０（図６参照）によって汲み上げられドレンソケット２０ａからユニット本体１外部に排出されるようになっている。また、ドレンソケット２０ａの下方に設けられた折曲片部２３は、側板６の第２の点検口２２部分に一体形成されており、先端が下方に傾斜した状態でユニット本体１内部に向かい折り曲げられている。また、折曲片部２３の端部はドレン受皿７の受部７ａよりも内側になっており、折曲片部２３を伝って滴下したドレン水が、再びドレン受皿７内に滴下し貯留されるようになっている。
【００３４】
上記のようにドレンソケット２０ａの下方に折曲片部２３を設けることによって、ドレンソケット２０ａに結露したドレン水や、ドレンホース２６の劣化により漏れたドレン水などが、ドレンソケット２０ａ下方に滴下して折曲片部２０ａに沿って流れることによって、下方に設けられたドレン受皿７にドレン水が滴下し、側板６ａの第２の点検口２２と第２の蓋板２５との隙間から漏れ出すことがない。
また上記のように、ドレンホース２６やドレンソケット２０ａに結露したドレン水を、折曲片部２３ａで受け、ドレン受皿７で回収することが可能となるため、ドレンホース２６やドレンソケット２０ａに結露防止のための断熱材を装着させる必要がなく、また、必要であっても最小限にとどめることができるため、コスト削減が可能となる、また、第２の点検口２２周りの空間が煩雑になることを防止し、組み付けやメンテナンス作業を容易に行なうことができる。
【００３５】
（第２の実施形態）
第２の実施形態として、図８を用いて説明する。なお、第１の実施形態と同様の構成については説明を省略する。図８は第２の実施形態におけるビルトイン空気調和機ＡＣの熱交換室１１内部側からドレンソケット２０ａ及び折曲片部２３部分を一部拡大した図を示す。
【００３６】
第２の実施形態のビルトイン空気調和機ＡＣの側板６ａには、ドレンソケット２０ａの下方部分を挟むように配置された２本の凸部２３ａ、２３ａが設けられている。この凸部２３ａ、２３ａは、絞り加工によって側板６ａに設けられると同時に、ユニット本体１内部側に向かって突出し設けられており、ドレンソケット２０ａ下方部分から折曲片部２３の下端にかけて線状に設けられている。
【００３７】
上記のような凸部２３ａ、２３ａを有することによって、ドレンホース２６やドレンソケット２０ａに結露したドレン水が折曲片部２３に滴下した際に、ドレン水が折曲片部２３から横方向にはみだすのを防止し、ドレン水が凸部２３ａに沿ってドレン受皿７へ滴下する。これにより、ドレン受皿７の受部７ａに確実に滴下させることができ、ドレン水の漏れを防止することができる。
【００３８】
上記第１及び第２の実施形態では、側板６ａの第２点検口２２部分に設けられた折曲片部２３は下方に向かって傾斜して設けられているが、メンテナンス性向上のため水平に設けられても良い。
【００３９】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００４０】
Ｓ…建屋、Ｕ…天井裏、１…ユニット本体、１２…送風機、１０…送風機室、１８…室内熱交換器、１１…熱交換室、８…仕切り板、１７…電気部品箱、２０ａ…ドレンソケット、２１…第１の点検口、２２…第２の点検口、２３…折曲片部、２３ａ…凸部、２４…第１の蓋板、２５…第２の蓋板、２０…ドレンポンプ、２７ａ，２７ｂ…配線用孔部、３２…スリット、３８…引掛け用突部、３９…仮固定用孔部。
【図１】
2013213595.tif 000003
【図２】
2013213595.tif 000004
【図３】
2013213595.tif 000005
【図４】
2013213595.tif 000006
【図５】
2013213595.tif 000007
【図６】
2013213595.tif 000008
【図７】
2013213595.tif 000009
【図８】
2013213595.tif 000010